(57)【要約】【課題】登下校時や習い事などの往復時における子供の危機管理を簡易に図ることができる子供用かばんを提供する。【解決手段】かばん体１の肩紐７には、かばん用無線式通信端末９を着脱自在に装着する。かばん用無線式通信端末９は特定端末呼出用テンキーを有し、プリセットメモリに記憶された電話番号の特定端末との送受信のみ可能に形成する。かばん用無線式通信端末８は受話部１７および送話部１８によりハンズフリー通話が可能であり、また非常連絡メール送信ボタン部１９を備えてプリセットされた保護者用情報端末に非常連絡メールを送信する。かばん用無線式通信端末９はＰＨＳ方式の通信端末を用い、信号を送受信する基地局を特定して所在地点または所在範囲を認識できる。【選択図】  図１
2004350775.tif 000002
【特許請求の範囲】
【請求項１】
上面に略矩形の上面開口部を有する略直方体形状の函型であって一端面を背板部に形成するとともにこの背板部に対向する他端面を前板部に形成するかばん本体部と、このかばん本体部の前記背板部の上端部に設けられ少なくとも前記上面開口部を開閉自在に被覆する板状の蓋部と、前記背板部に左右対称に設けた一対の肩紐とを備えたかばん体を有し、
このかばん体にかばん用無線式通信端末を一体に設けまたは着脱自在に装着した
ことを特徴とする無線式通信端末付き子供用かばん。
【請求項２】
上面に上面開口部を有する袋状のかばん本体部と、このかばん本体部に設けた一対の手提げ紐部とを備えたかばん体を有し、このかばん体に無線通信用のかばん用無線式通信端末を一体に設けまたは着脱自在に装着した
ことを特徴とする無線式通信端末付き子供用かばん。
【請求項３】
肩紐には被装着部を設けるとともにかばん用無線式通信端末には装着部を設け、前記被装着部には前記かばん用無線式通信端末の前記装着部を着脱自在に装着する
ことを特徴とする請求項１記載の無線式通信端末付き子供用かばん。
【請求項４】
かばん本体部の前板部には被装着部を設けるとともにかばん用無線式通信端末には装着部を設け、前記被装着部には前記かばん用無線式通信端末の前記装着部を着脱自在に装着する
ことを特徴とする請求項１記載の無線式通信端末付き子供用かばん。
【請求項５】
蓋部をかばん体の上面開口部と前板部とを被覆可能に設けた
ことを特徴とする請求項４記載の無線式通信端末付き子供用かばん。
【請求項６】
かばん本体部には被装着部を設けるとともにかばん用無線式通信端末には装着部を設け、前記被装着部には前記かばん用無線式通信端末の前記装着部を着脱自在に装着する
ことを特徴とする請求項２記載の無線式通信端末付き子供用かばん。
【請求項７】
上面に略矩形の上面開口部を有する略直方体形状の函型であって一端面を背板部に形成するとともにこの背板部に対向する他端面を前板部に形成するかばん本体部とこのかばん本体部の前記背板部の上端部に設けられ前記上面開口部を開閉自在に被覆する板状の蓋部と前記背板部に左右対称に設けた一対の肩紐とを備えたかばん体、または、上面に上面開口部を有する袋状のかばん本体部とこのかばん本体部に設けた一対の手提げ紐部とを備えたかばん体のうち少なくともいずれか一方に一体に設けられまたは着脱自在に装着されるかばん用無線式通信端末であって、
特定の電話番号を記憶するプリセットメモリを備え、前記プリセットメモリに記憶された電話番号によって呼出可能な特定端末との送受信のみを可能とする送受信端末制限機構を有する
ことを特徴とするかばん用無線式通信端末。
【請求項８】
かばん用無線式通信端末は無線式通信端末本体部を備え、この無線式通信端末本体部の正面部には、プリセットメモリに記憶された電話番号を呼出す一または複数の特定端末呼出用テンキーを有する
ことを特徴とする請求項７記載のかばん用無線式通信端末。
【請求項９】
少なくとも無線式通信端末本体部の正面部の一部を被覆する蓋体を備え、この蓋体を前記無線式通信端末本体部にスライド自在に装着し、または着脱自在に設けた
ことを特徴とする請求項７または８のいずれかに記載のかばん用無線式通信端末。
【請求項１０】
ハンズフリー通話が可能である受話部および送話部とを有し、前記受話部と前記送話部とはそれぞれかばん体に一体に取り付けられて前記かばん体に配設された導線によって前記かばん体に装着されたかばん無線式通信端末本体部に接続された
ことを特徴とする請求項７ないし９のいずれかに記載のかばん用無線式通信端末。
【請求項１１】
無線式通信端末本体部は非常連絡メール送信テンキーを備えるとともにかばん体には非常連絡メール送信ボタン部を一体に取り付けて前記非常連絡メールを前記かばん体に配設された導線によって前記かばん体に装着されたかばん無線式通信端末本体部に接続し、前記無線式通信端末本体部は前記非常連絡メール送信テンキーまたは非常連絡メール送信ボタン部からのプッシュ信号を受けてプリセットされた保護者用情報端末のメールアドレスに電子メールを送信する非常連絡メール送信機構を有する
ことを特徴とする請求項７ないし１０のいずれかに記載のかばん用無線式通信端末。
【請求項１２】
非常連絡メール送信テンキーは、無線式通信端末本体部をかばんに装着した状態でプッシュ可能に表出する
ことを特徴とする請求項１１記載のかばん用無線式通信端末。
【請求項１３】
無線式通信端末付き子供用かばんと、この無線式通信端末付き子供用かばんに一体に設けまたは着脱自在に装着したかばん用無線式通信端末と、このかばん用無線式通信端末と信号送受信可能な基地局と、この基地局を介して前記かばん用無線式通信端末との間で信号送受信可能な保護者用情報端末と、前記かばん用無線式通信端末との間で信号を送受信する前記基地局を特定しこの基地局を前記保護者用情報端末に告知することが可能な基地局特定機構とを備えたセキュリティシステムであって、
前記かばん用無線式通信端末は、このかばん用無線式通信端末が信号送受信を行う基地局を前記基地局特定機構によって特定し前記保護者用情報端末側で前記かばん用無線式通信端末の所在地点または所在範囲を認識することが可能な通信方式に用いる無線式通信端末である
ことを特徴とする無線式通信端末付き子供用かばんを用いたセキュリティシステム。
【請求項１４】
無線式通信端末付き子供用かばんに一体に設けまたは着脱自在に装着したかばん用無線式通信端末はＰＨＳ用端末であり、基地局はＰＨＳ用基地局であり、前記かばん用無線式通信端末と前記基地局との間で送受信される信号はＰＨＳ信号である
ことを特徴とする請求項１３記載の無線式通信端末付き子供用かばんを用いたセキュリティシステム。
【請求項１５】
無線式通信端末付き子供用かばんに一体に設けまたは着脱自在に装着したかばん用無線式通信端末は無線ＬＡＮ用端末であり、基地局は無線ＬＡＮ用基地局であり、前記かばん用無線式通信端末と前記基地局との間で送受信される信号は無線ＬＡＮ信号である
ことを特徴とする請求項１３記載の無線式通信端末付き子供用かばんを用いたセキュリティシステム。
【請求項１６】
無線式通信端末付き子供用かばんに一体に設けまたは着脱自在に装着可能なかばん用無線式通信端末と、このかばん用無線式通信端末と信号送受信可能な基地局と、この基地局を介して前記かばん用無線式通信端末との間で信号送受信可能な保護者用情報端末と、前記かばん用無線式通信端末との間で信号を送受信する前記基地局を特定しこの基地局を前記保護者用情報端末に告知することが可能な基地局特定機構とを備えたセキュリティシステムであって、
前記かばん用無線式通信端末は、このかばん用無線式通信端末が信号送受信を行う基地局を前記基地局特定機構によって特定し前記保護者用情報端末側で前記かばん用無線式通信端末の所在地点または所在範囲を認識することが可能な通信方式に用いる無線式通信端末である
ことを特徴とするかばん用無線式通信端末を用いたセキュリティシステム。
【請求項１７】
かばん用無線式通信端末はＰＨＳ用端末であり、基地局はＰＨＳ用中継局であり、前記かばん用無線式通信端末と前記基地局との間で送受信される信号はＰＨＳ信号である
ことを特徴とする請求項１６記載のかばん用無線式通信端末を用いたセキュリティシステム。
【請求項１８】
かばん用無線式通信端末は無線ＬＡＮ用端末であり、基地局は無線ＬＡＮ用基地局であり、前記かばん用無線式通信端末と前記基地局との間で送受信される信号は無線ＬＡＮ信号である
ことを特徴とする請求項１６記載のかばん用無線式通信端末を用いたセキュリティシステム。
【発明の詳細な説明】
【０００１】
【発明の属する技術分野】
本発明は、ランドセルや子供用手提げかばんのような子供用かばんおよびいわゆるＰＨＳ方式の携帯通信端末のような無線式通信端末に関する。
【０００２】
【従来の技術】
従来、小学生などの子供は、登下校時や習い事の行き帰り時など、両親などの保護者や学校教師などの監督者が不在のときに事故や犯罪の被害に遭うことが多い。そして、近年は、犯罪の多様化により子供を対象とした犯罪が増加していることもあり、子供の保護者にとっては子供の登下校時や習い事の行き帰り時の危機管理を講ずる必要性が高まっている。
【０００３】
一方、近年、屋外において使用可能な無線式通信端末として、携帯電話や一般にＰＨＳ方式と称される簡易式携帯電話（以下単にＰＨＳと称する。）などが広く普及している。そして、子供の緊急時の連絡手段として、これらの無線式通信端末を子供に携帯させて保護者との自由な通信を可能にすることにより、子供の外出時における危機管理を講ずることも考えられる。
【０００４】
しかし、一般に用いられている無線式通信端末には電話番号入力用のテンキーが装備されているため、子供に無線式通信端末を所持させた場合、子供が外出先で不特定の相手と自由に通話することが可能になるため、通話時間が長くなって通話料がかさんだり、いわゆる成人向け番組に自由に電話をかけることが可能になって子供の健全な育成をはかる上で問題が生じたりする。このような問題があるため、保護者が子供に無線式通信端末を携帯させることを拒んだり、子供が無線式通信端末を持参することを学校が禁止したりすることになる。
【０００５】
そこで、従来、一般の無線式通信端末の無線式通信端末本体部の一部のテンキーが配置された部分に位置して複数の孔部が設けられた被覆体を装着するとともに前記孔部から目視可能な前記テンキーをプッシュすることにより特定の電話番号に電話をかけられるようにプログラミングされた無線式通信端末が知られている。
【０００６】
（たとえば、特許文献１参照）
【０００７】
【特許文献１】
特表第２００２−５３９６５１号公報
【０００８】
【発明が解決しようとする課題】
しかし、前記特許文献１に記載した方法によれば、既存の無線式通信端末に被覆体を装着する必要があるため製作の手間やコストが増大し、また、利用者が被覆体を除去してしまえば通常の無線式通信端末と同様に使えてしまい、上述した通常の無線式通信端末の問題が解決されないことになる。
【０００９】
また、前記特許文献１に記載した方法によれば、無線式通信端末本体にはディスプレイ画面が設けられ、不特定の相手との電子メールの送受信が可能であり、子供が学校や習い事の場で不特定の相手と電子メールの送受信を行うことを可能にしてしまうため、学校や習い事の場に携帯させることを拒否されやすいという問題がある。
【００１０】
さらに、前記特許文献１に記載した方法によれば、無線式通信端末は単体で取り扱うことを前提としており、また、この無線式通信端末を使用するときには、使用者は、この無線式通信端末を収納場所から取り出して無線式通信端末本体部を把持し、この無線式通信端末本体部に備えられた受話用スピーカを耳に、送話用マイクロフォンを口に、それぞれ近接させて使用する必要があった。
【００１１】
そのため、事故や誘拐などの犯罪に遭遇した場合に無線式通信端末を用いて保護者に連絡の通話をすることができなかったり、犯人に無線式通信端末を容易に発見され取り上げられてしまったり、危機管理手段としての実効を有しないという問題がある。
【００１２】
また、無線式携帯端末は通常小型であるため、子供に無線式通信端末を単体で携帯させた場合、紛失する可能性が高い。
【００１３】
一方、子供が学校や習い事に通うときにはランドセルや子供用手提げかばんのような子供用かばんを携帯する。したがって、子供が携帯する子供用かばんに子供の保護者との通信を図ることができる簡易な機能を持たせれば、登下校時や習い事などの往復時における子供の危機管理を容易に図ることが可能になるが、従来、子供の危機管理を図る機能を有する子供用かばんは存在しなかった。
【００１４】
本発明は上述のような事情よりなされたものであり、本発明の目的は、登下校時や習い事などの往復時における子供の危機管理を簡易に図ることができる子供用かばん、そして、子供の危機管理機能を有するかばんに用いるための子供の危機管理機能に必要な機能のみを持たせた無線式通信端末、さらに、子供の危機管理機能を有するかばんを用いたセキュリティシステムを提供することにある。
【００１５】
【課題を解決するための手段】
本発明の請求項１記載の無線式通信端末付き子供用かばんは、上面に略矩形の上面開口部を有する略直方体形状の函型であって一端面を背板部に形成するとともにこの背板部に対向する他端面を前板部に形成するかばん本体部と、このかばん本体部の前記背板部の上端部に設けられ少なくとも前記上面開口部を開閉自在に被覆する板状の蓋部と、前記背板部に左右対称に設けた一対の肩紐とを備えたかばん体を有し、このかばん体にかばん用無線式通信端末を一体に設けまたは着脱自在に装着したものである。
【００１６】
そして、肩紐を有する子供用肩掛けかばんのかばん体に無線通信用のかばん用無線式通信端末を一体に設けまたは着脱自在に装着することにより、肩掛け式の子供用かばんを携帯する子供と保護者など子供の管理者との簡易な通信手段を提供し、外出時における子供の危機管理を容易にはかることができる。
【００１７】
本発明の請求項２記載の無線式通信端末付き子供用かばんは、上面に上面開口部を有する袋状のかばん本体部と、このかばん本体部に設けた一対の手提げ紐部とを備えたかばん体を有し、このかばん体に無線通信用のかばん用無線式通信端末を一体に設けまたは着脱自在に装着したものである。
【００１８】
そして、手提げ紐部を有する手提げ式の子供用かばんのかばん体に無線通信用のかばん用無線式通信端末を一体に設けまたは着脱自在に装着することにより、手提げ式の子供用かばんを携帯する子供と保護者など子供の管理者との簡易な通信手段を提供し、外出時における子供の危機管理を容易にはかることができる。
【００１９】
本発明の請求項３記載の無線式通信端末付き子供用かばんは、請求項１記載の無線式通信端末付き子供用かばんにおいて、肩紐には被装着部を設けるとともにかばん用無線式通信端末には装着部を設け、前記被装着部には前記かばん用無線式通信端末の前記装着部を着脱自在に装着するものである。
【００２０】
そして、肩紐にかばん用無線式通信端末を装着することにより、無線式通信端末付き子供用かばんを背負った状態でかばん用無線式通信端末を操作することが可能になる。
【００２１】
また、かばん用無線式通信端末は無線式通信端末付き子供用かばんに着脱自在に装着されているため、かばん用無線式通信端末を使用するとき、このかばん用無線式通信端末を無線式通信端末付き子供用かばんのかばん体から離脱させて把持し、確実に送受信操作を行うことが可能になる。そして、かばん用無線式通信端末はかばん体の肩紐に着脱自在に装着されているため、かばん体を背負ったままでかばん用無線式通信端末を容易にかばん体から離脱させることができる。
【００２２】
本発明の請求項４記載の無線式通信端末付き子供用かばんは、請求項１記載の無線式通信端末付き子供用かばんにおいて、かばん本体部の前板部には被装着部を設けるとともにかばん用無線式通信端末には装着部を設け、前記被装着部には前記かばん用無線式通信端末の前記装着部を着脱自在に装着するものである。
【００２３】
そして、面積が広く利用時における曲げ伸ばしなどの形状の変化が少ないかばん本体部の前板部にかばん用無線式通信端末を装着することにより、このかばん用無線式通信端末をかばん体に確実に装着できる。
【００２４】
また、かばん用無線式通信端末は無線式通信端末付き子供用かばんに着脱自在に装着されているため、使用時にかばんから取り出して確実に送受信操作を行うことも可能になる。
【００２５】
本発明の請求項５記載の無線式通信端末付き子供用かばんは、請求項４記載の無線式通信端末付き子供用かばんにおいて、蓋部をかばん体の上面開口部と前板部とを被覆可能に設けたものである。
【００２６】
そして、かばん体の前板部は蓋部によって被覆可能であり、利用者である子供がかばん体を背負って外出する際にはかばん用無線式通信端末は蓋部によって被覆され外部に表出しなくなるため、誘拐などの犯罪に遭遇した場合であってもかばん用無線式通信端末を犯人に容易に発見されることがなく、利用者である子供の緊急時における保護者との通信手段を確保できる。
【００２７】
本発明の請求項６記載の無線式通信端末付き子供用かばんは、請求項２記載の無線式通信端末付き子供用かばんにおいて、かばん本体部には被装着部を設けるとともにかばん用無線式通信端末には装着部を設け、前記被装着部には前記かばん用無線式通信端末の前記装着部を着脱自在に装着するものである。
【００２８】
そして、手提げ式の子供用かばんであるかばん体のかばん本体部にかばん用無線式通信端末を装着することにより、かばん体の手提げ紐部を把持した状態でかばん用無線式通信端末を操作できる。
【００２９】
さらに、かばん用無線式通信端末はかばん体と着脱自在であるため、利用者は使用時にかばん体の手提げ紐部を把持したままでかばん用無線式通信端末をかばんから離脱させることができ、また、かばん体から離脱させたかばん用無線式通信端末を把持して確実に送受信操作を行うことが可能になる。
【００３０】
本発明の請求項７記載のかばん用無線式通信端末は、上面に略矩形の上面開口部を有する略直方体形状の函型であって一端面を背板部に形成するとともにこの背板部に対向する他端面を前板部に形成するかばん本体部とこのかばん本体部の前記背板部の上端部に設けられ前記上面開口部を開閉自在に被覆する板状の蓋部と前記背板部に左右対称に設けた一対の肩紐とを備えたかばん体、または、上面に上面開口部を有する袋状のかばん本体部とこのかばん本体部に設けた一対の手提げ紐部とを備えたかばん体のうち少なくともいずれか一方に一体または着脱自在に装着されるかばん用無線式通信端末であって、特定の電話番号を記憶するプリセットメモリを備え、前記プリセットメモリに記憶された電話番号によって呼出可能な特定端末との送受信のみを可能とする送受信端末制限機構を有するものである。
【００３１】
そして、かばん用無線式通信端末はかばん体に装着するものであるため、子供用かばんを携帯する子供と子供の両親などの管理者との簡易な通信手段を提供して子供の危機管理を容易にはかることができる。また、かばん用無線式通信端末はプリセットメモリに記憶された電話番号によって呼出可能な特定端末との送受信のみを可能とする送受信端末制限機構を有することにより、このかばん用無線式通信端末を利用する子供が不特定の相手と自由に通話することを過大なコストをかけることなく簡易に防止することができ、通話時間のいたずらな長大化による通話料の増大や、子供の健全な育成に有害な番組等への交信を防止することができる。
【００３２】
本発明の請求項８記載のかばん用無線式通信端末は、請求項７記載のかばん用無線式通信端末において、かばん用無線式通信端末は無線式通信端末本体部を備え、この無線式通信端末本体部の正面部には、プリセットメモリに記憶された電話番号を呼出す一または複数の特定端末呼出用テンキーを有するものである。
【００３３】
そして、無線式通信端末本体部はプリセットメモリに記憶された電話番号を呼出す一または複数の特定端末呼出用テンキーを有することにより、このかばん用無線式通信端末を利用する子供と子供の保護者との通話を確実に確保しつつ、子供が不特定の相手と自由に通話することを確実に防止することができる。
【００３４】
本発明の請求項９記載のかばん用無線式通信端末は、請求項７または８のいずれかに記載のかばん用無線式通信端末において、少なくとも無線式通信端末本体部の正面部の一部を被覆する蓋体を備え、この蓋体を前記無線式通信端末本体部にスライド自在に装着し、または着脱自在に設けたものである。
【００３５】
そして、無線式通信端末本体部の正面部を開閉自在に装着し、または着脱自在に設けた蓋体で被覆することにより、かばん用無線式通信端末の送受信時以外の誤操作を防止することができる。
【００３６】
本発明の請求項１０記載のかばん用無線式通信端末は、請求項７ないし９のいずれかに記載のかばん用無線式通信端末において、ハンズフリー通話が可能である受話部および送話部とを有し、前記受話部と前記送話部とはそれぞれかばん体に一体に取り付けられて前記かばん体に配設された導線によって前記かばん体に装着されたかばん無線式通信端末本体部に接続されたものである。
【００３７】
そして、かばん用無線式通信端末はハンズフリー通話が可能であることから、利用者がかばん体の肩紐を肩に掛けたり手提げ紐部を把持した状態で自在に通話することが可能になり、利用者である子供の緊急時における保護者との通話が容易になって、子供の危機管理対策をより実効あるものとすることができる。
【００３８】
本発明の請求項１１記載のかばん用無線式通信端末は、請求項７ないし１０のいずれかに記載のかばん用無線式通信端末において、無線式通信端末本体部は、無線式通信端末本体部は非常連絡メール送信テンキーを備えるとともにかばん体には非常連絡メール送信ボタン部を一体に取り付けて前記非常連絡メールを前記かばん体に配設された導線によって前記かばん体に装着されたかばん用無線式通信端末本体部に接続し、前記無線式通信端末本体部は前記非常連絡メール送信テンキーまたは非常連絡メール送信ボタン部からのプッシュ信号を受けてプリセットされた保護者用情報端末のメールアドレスに電子メールを送信する非常連絡メール送信機構を有するものである。
【００３９】
そして、無線式通信端末本体部の非常連絡メール送信テンキーまたはかばん体に取り付けられた非常連絡メール送信ボタン部をプッシュして保護者用情報端末のメールアドレスに電子メールを送信することにより、利用者である子供が事故や犯罪の被害に遭遇したときに保護者への緊急連絡を容易かつ確実に行うことができる。また、この非常連絡メール送信ボタン部をプッシュすることで保護者との非常連絡手段は確保されるので、かばん用無線式通信端末本体部にメール送受信用のディスプレイ画面が設ける必要がなくなり、利用者である子供が不特定の相手と電子メールの送受信を行うことを防ぐことができる。
【００４０】
本発明の請求項１２記載のかばん用無線式通信端末は、請求項１１記載のかばん用無線式通信端末において、非常連絡メール送信テンキーは、無線式通信端末本体部をかばんに装着した状態でプッシュ可能に表出するものである。
【００４１】
そして、無線式通信端末本体部をかばんに装着したままで非常連絡メール送信テンキーをプッシュすることが可能となり、子供が事故や犯罪の被害に遭遇したときに保護者への緊急連絡を迅速かつ確実に行うことができる。
【００４２】
本発明の請求項１３記載の無線式通信端末付き子供用かばんを用いたセキュリティシステムは、無線式通信端末付き子供用かばんと、この無線式通信端末付き子供用かばんに装着したかばん用無線式通信端末と、このかばん用無線式通信端末と信号送受信可能な基地局と、この基地局を介して前記かばん用無線式通信端末との間で信号送受信可能な保護者用情報端末と、前記かばん用無線式通信端末との間で信号を送受信する前記基地局を特定しこの基地局を前記保護者用情報端末に告知することが可能な基地局特定機構とを備えたセキュリティシステムであって、前記無線式通信端末付き子供用かばんに装着した前記かばん用無線式通信端末は、このかばん用無線式通信端末が信号送受信を行う基地局を前記基地局特定機構によって特定し前記保護者用情報端末側で前記かばん用無線式通信端末の所在地点または所在範囲を認識することが可能な通信方式に用いる無線式通信端末であるものである。
【００４３】
そして、信号送受信を行う基地局を前記基地局特定機構によって特定し前記保護者用情報端末側で前記かばん用無線式通信端末の所在地点または所在範囲を認識することが可能な通信方式に用いる無線式通信端末がかばん用無線式通信端末として無線式通信端末付き子供用かばんに装着されていることにより、無線式通信端末付き子供用かばんの所在地を簡易に特定することができる。
【００４４】
本発明の請求項１４記載の無線式通信端末付き子供用かばんを用いたセキュリティシステムは、請求項１３記載の無線式通信端末付き子供用かばんを用いたセキュリティシステムにおいて、無線式通信端末付き子供用かばんに一体に設けまたは着脱自在に装着したかばん用無線式通信端末はＰＨＳ用端末であり、基地局はＰＨＳ用基地局であり、前記かばん用無線式通信端末と前記基地局との間で送受信される信号はＰＨＳ信号であるものである。
【００４５】
そして、民生用無線式通信として最も普及している方式のひとつであるＰＨＳ用端末を用いたセキュリティシステムであることにより、広範な分野において安価にセキュリティシステムを構築することが可能になる。
【００４６】
本発明の請求項１５記載の無線式通信端末付き子供用かばんを用いたセキュリティシステムは、請求項１３記載の無線式通信端末付き子供用かばんを用いたセキュリティシステムにおいて、無線式通信端末付き子供用かばんに装着したかばん用無線式通信端末は無線ＬＡＮ用端末であり、基地局は無線ＬＡＮ用基地局であり、前記かばん用無線式通信端末と前記基地局との間で送受信される信号は無線ＬＡＮ信号であるものである。
【００４７】
そして、かばん用無線式通信端末と前記基地局との間で送受信される信号に無線ＬＡＮ信号を用いることにより、無線ＬＡＮカードなどを用いてセキュリティシステムを構築することができる。
【００４８】
本発明の請求項１６記載のかばん用無線式通信端末を用いたセキュリティシステムは、無線式通信端末付き子供用かばんに装着可能なかばん用無線式通信端末と、このかばん用無線式通信端末と信号送受信可能な基地局と、この基地局を介して前記かばん用無線式通信端末との間で信号送受信可能な保護者用情報端末と、前記かばん用無線式通信端末との間で信号を送受信する前記基地局を特定しこの基地局を前記保護者用情報端末に告知することが可能な基地局特定機構とを備えたセキュリティシステムであって、前記かばん用無線式通信端末は、このかばん用無線式通信端末が信号送受信を行う基地局を前記基地局特定機構によって特定し前記保護者用情報端末側で前記かばん用無線式通信端末の所在地点または所在範囲を認識することが可能な通信方式に用いる無線式通信端末であるものである。
【００４９】
そして、信号送受信を行う基地局を前記基地局特定機構によって特定し前記保護者用情報端末側で前記かばん用無線式通信端末の所在地点または所在範囲を認識することが可能な通信方式に用いる無線式通信端末がかばん用無線式通信端末として用いられていることにより、かばん用無線式通信端末の所在地を簡易に特定することができる。
【００５０】
本発明の請求項１７記載のかばん用無線式通信端末を用いたセキュリティシステムは、請求項１６に記載のかばん用無線式通信端末を用いたセキュリティシステムにおいて、かばん用無線式通信端末はＰＨＳ用端末であり、基地局はＰＨＳ用中継局であり、前記かばん用無線式通信端末と前記基地局との間で送受信される信号はＰＨＳ信号であるものである。
【００５１】
そして、民生用無線式通信として最も普及している方式のひとつであるＰＨＳ用端末を用いたセキュリティシステムであることにより、広範な分野において安価にセキュリティシステムを構築することが可能になる。
【００５２】
本発明の請求項１８記載のかばん用無線式通信端末を用いたセキュリティシステムは、請求項１６記載のかばん用無線式通信端末を用いたセキュリティシステムにおいて、かばん用無線式通信端末は無線ＬＡＮ用端末であり、基地局は無線ＬＡＮ用基地局であり、前記かばん用無線式通信端末と前記無線ＬＡＮ用基地局との間で送受信される信号は無線ＬＡＮ信号であるものである。
【００５３】
そして、かばん用無線式通信端末と基地局との間で送受信される信号に無線ＬＡＮ信号を用いることにより、ＬＡＮカード等を用いたセキュリティシステムを構築することができる。
【００５４】
【発明の実施の形態】
以下、本発明の実施の形態を図面を参照して説明する。
【００５５】
図１において、かばん体１は子供用肩掛けかばんたとえばランドセルであって、牛革のような皮革または合成皮革によって形成される。そして、このかばん体１のかばん本体部２は略直方体形状の函型に形成されており、上面には略矩形の上面開口部３を有して内部に教科書やノートなどの文房具を収容可能に形成されている。また、このかばん本体部２の一端面は背板部４に形成されて利用者が背負ったときにこの利用者の背中に接触する。そして、前記背板部４に対向する他端面は前板部５に形成される。
【００５６】
また、前記かばん体１は、前記背板部４の上端部に蓋部６を設ける。この蓋部６は前記かばん本体部２と同じ皮革または合成皮革などの素材によって板状に形成されて曲げ伸ばしが可能であり、前記上面開口部３と前記前板部５とを開閉自在に被覆する。
【００５７】
さらに、前記背板部４の上端部には一対の肩紐７，７の上端部が金属環８，８を介して左右対称に取り付けられ、前記肩紐７，７の下端部は前記背板部４の下端部に左右対称に取り付けられている。
【００５８】
そして、前記一対の肩紐７，７のうちの一方の肩紐７には被装着部（図示せず）が設けられ、この被装着部（図示せず）には、かばん用無線式通信端末９が、このかばん用無線式通信端末９の裏面部に設けられた装着部（図示せず）によって装着される。そして、図２に示すように、前記肩紐７の被装着部（図示せず）と前記かばん用無線式通信端末９の装着部（図示せず）とは、たとえば面ファスナの雌体と雄体などによって着脱自在に形成する。
【００５９】
次に、かばん用無線式通信端末９について図面を参照して説明する。
【００６０】
図１、図３および図４に示すかばん用無線式通信端末９は、たとえば一般にＰＨＳと称される通信方式の簡易携帯電話（以下単に「ＰＨＳ」と称する。）に用いられる携帯端末である。そして、図３および図４に示す、このかばん用無線式通信端末９の無線式通信端末本体部１０は、正面部に受話用スピーカ１１を有する。また、この無線式通信端末本体部１０は、正面部に複数たとえば五つのテンキー１２ａ，１２ｂ，１２ｃ，１２ｄ，１２ｅを有する。これらのテンキー１２ａ，１２ｂ，１２ｃ，１２ｄ，１２ｅのうち一番下に配設されたテンキー１２ｅは電源キーを形成し、この電源キー１２ｅのすぐ上方に配設されたテンキー１２ｄは非常連絡メール送信テンキーを形成する。そして、この非常連絡メール送信テンキー１２ｄを中心に略扇形の放射状に配設されたテンキー１２ａ，１２ｂ，１２ｃはそれぞれ特定端末呼出用テンキーを形成する。これらの特定端末呼出用テンキー１２ａ，１２ｂ，１２ｃは、プッシュすることにより、前記無線式通信端末本体部１０に内蔵された、後述のプリセットメモリ１３に記憶された電話番号を呼出す信号を発信する。
【００６１】
また、前記無線式通信端末本体部１０の下端部には、蓋体１４が装着されている。この蓋体１４は前記無線式通信端末本体部１０の上下方向にスライド自在に装着されており、この無線式通信端末本体部１０の正面部を被覆することができる。一方、この蓋体１４は正面部に送話用マイクロフォン１５を有し、また、前記無線式通信端末本体部１０の上方向一杯にスライドさせた状態で前記非常連絡メール送信テンキー１２ｄが配設された部分に位置してテンキー用孔部１６が開孔している。前記無線式通信端末本体部１０は前記蓋体１４によって前記無線式通信端末本体部１０の正面部を被覆した状態で前記肩紐７の被装着部（図示せず）に装着されるが、この装着された状態において前記テンキー用孔部１６から前記非常連絡メール送信テンキー１２ｄが表出する。
【００６２】
また、図１において、前記かばん体１の一対の肩紐７，７のうちの他方の肩紐７には、前記かばん用無線式通信端末９の受話部１７と、送話部１８と、非常連絡メール送信ボタン部１９とがそれぞれ一体に取り付けられている。この受話部１７は厚さ方向大きさが小さくハンズフリー通話が可能な程度に受話感度の高い小型マイクロフォンによって形成し、また、前記送話部１８は厚さ方向大きさが小さくハンズフリー通話が可能な程度の出力を有する小型スピーカによって形成する。また、前記非常連絡メール送信ボタン部１９はメール送信用のプッシュ式のボタンである。そして、前記受話部１７と前記送話部１８、および前記送話部１８と前記非常連絡メール送信ボタン部１９には導線２０がそれぞれ接続し、この導線２０は前記他方の肩紐７から前記一方の肩紐７に伸張して端部が前記被装着部（図示せず）にて信号導通コネクタ（図示せず）を形成する。この信号導通コネクタ（図示せず）前記かばん用無線式通信端末９の装着部（図示せず）に設けられた信号導通用のコネクタ（図示せず）に接触する。
【００６３】
次に、このかばん用無線式通信端末９の通信回路について図面を参照して説明する。
【００６４】
図５に示すかばん用無線式通信端末９の回路ブロック図において、制御機構２１は前記かばん用無線式通信端末９の内部における素子間の信号の送受信や各素子の動作などを制御する。そして、電源２２は前記制御機構２１を介してすべての素子に電力を供給する。また、電源キー１２ｅは前記電源２２に接続されて、この電源２２が各素子に電力を供給するオン状態と前記電源から各素子への電力供給を停止されるオフ状態とを切り替える。
【００６５】
また、図４において、特定端末呼出用テンキー１２ａ，１２ｂ，１２ｃからは、後述するプリセットメモリ１３からこのプリセットメモリ１３に記録された電話番号たとえば保護者用情報端末２５ａの電話番号を読み出して、この読み出した電話番号に対し呼出信号を発信する旨を指示する命令信号が出力される。また、前記制御機構２１に接続された通信機構２３とこの通信機構２３に接続されたアンテナ２４とは、前記かばん用無線式通信端末９に入出力される音声信号を無線により送受信を行う。
【００６６】
そして、受話部１７と前記制御機構２１に接続された受話用スピーカ１１とは外部たとえば保護者用情報端末２５ａから受信した音声信号を音声に変換して出力し、送話部１８と前記制御機構２１に接続された送話用マイクロフォン１５とは前記かばん用無線式通信端末９に入力された音声を音声信号に変換する。また、前記受話部１７と前記送話部１８とが接続されるとともに前記制御機構２１に接続されたハンズフリー部１６ａは前記かばん用無線式通信端末９に入出力される音声信号をこのかばん用無線式通信端末９の利用者としての子供がハンズフリー通話することが可能となるように信号レベルを調整する。
【００６７】
さらに、前記制御機構２１にそれぞれ接続された非常連絡メール送信ボタン部１９および非常連絡メール送信テンキー１２ｄからは、後述するプリセットメモリ１３からこのプリセットメモリ１３に記録されたメールアドレスたとえば保護者用情報端末２５ｂのメールアドレスを読み出して、この読み出したメールアドレスに対する非常連絡メールの発信を指示する旨の命令信号が出力される。
【００６８】
そして、プリセットメモリ１３は、一または複数の電話番号たとえば保護者用情報端末２５ａの電話番号および一または複数のメールアドレスたとえば保護者用情報端末２５ｂのメールアドレスを記録しており、前記特定端末呼出用テンキー１２ａ，１２ｂ，１２ｃ、非常連絡メール送信ボタン部１９、および非常連絡メール送信テンキー１２ｄからの命令信号が入力されるとそれぞれの指示内容に対応した電話番号またはメールアドレスを出力する。
【００６９】
次に、このかばん用無線式通信端末９を用いた無線通信システム、およびこのかばん用無線式通信端末９を装着した無線式通信端末付きかばんを用いたセキュリティシステムについて、図面を参照して説明する。
【００７０】
図６に示すシステムのブロック図において、前記かばん体１および後述するかばん体５１に一体に設けられまたは着脱自在に装着された前記かばん用無線式通信端末９と基地局２６との間では、通信信号としてＰＨＳ信号にを用いた信号送受信が行われる。この基地局２６は、ディジタル信号であるＰＨＳ信号とアナログ信号である一般電話回線信号とを相互に変換するＰＨＳ接続装置２７に接続され、このＰＨＳ接続装置２７は市内交換機または市外交換機を形成する交換機２８に接続され、この交換機２８は一般電話回線２９に接続されて一般電話回線信号による信号の送受信を行う。そして、保護者用情報端末２５ａ，２５ｂはたとえば一般の電話やコンピュータ端末によって形成されて、モデム３０や一般にＴＡと称されるターミナルアダプタ３１などを介して前記一般電話回線２９と信号送受信を行い、また、前記保護者用情報端末２５ｂと前記一般電話回線２９との間には、電子メールを蓄積するためのメールボックス３２が配設される。また、前記一般電話回線２９には、基地局特定機構３３が接続される。この基地局特定機構３３は、特定の無線式通信端末と前記一般電話回線２９との間に基地局２６を介して信号の送受信があった場合、前記特定の無線式通信端末と信号送受信を行った前記基地局２６を特定できる機能を有する。そして、前記基地局２６と信号送受信を行った前記特定の無線式通信端末が前記かばん用無線式通信端末９であった場合、この特定した前記基地局２６の地点や場所についての情報は、前記一般電話回線２９を介して前記保護者用情報端末２５ａ，２５ｂにおいて入手できる。なお、前記基地局２６と前記かばん用無線式通信端末９との信号の送受信に用いられるＰＨＳ方式においては、距離による信号の減衰が大きく、前記基地局２６は前記かばん用無線式通信端末９が半径数百メートルないし数キロメートルという比較的狭小な範囲にある場合にのみ前記かばん用無線式通信端末９と信号の送受信が可能である。
【００７１】
次に、この実施の形態の作用について説明する。
【００７２】
この実施の形態において、利用者である子供は、かばん体１の一対の肩紐７，７を肩にかけて背負ってこのかばん体１を携帯する。
【００７３】
このかばん体１の一方の肩紐７には無線通信用のかばん用無線式通信端末９が装着されていることにより、ランドセルなど肩掛け式の子供用かばんを携帯する子供と保護者など子供の管理者との簡易な通信手段を提供し、外出時における子供の危機管理を容易に図ることができる。
【００７４】
また、このかばん用無線式通信端末９が装着されているのはかばん体１の肩紐７であることより、かばん体１の利用者である子供は、かばん体１を背負った状態でかばん用無線式通信端末９を操作することが可能になる。
【００７５】
そして、この無線式通信端末本体部１０は、かばん体１に装着された状態において正面部が蓋体１４で被覆されていることにより、無線式通信端末本体部１０の送受信時以外の誤操作を防止することができる。一方、無線式通信端末本体部１０には非常連絡メール送信テンキー１２ｄが配置され、蓋体１４にはテンキー用孔部１６が開孔し、蓋体１４によって無線式通信端末本体部１０を被覆した状態で非常連絡メール送信テンキー１２ｄが表出しているため、無線式通信端末本体部１０をかばんに装着した状態で前記非常連絡メール送信テンキー１２ｄをプッシュし、保護者用情報端末２５ｂに非常事態であることを告知することが可能である。
【００７６】
さらに、無線式通信端末本体部１０の非常連絡メール送信テンキー１２ｄまたはかばん体１に取り付けられた非常連絡メール送信ボタン部１９をプッシュして保護者用情報端末２５ｂのメールアドレスに電子メールを送信することにより、利用者である子供が事故や犯罪の被害に遭遇したときに保護者への緊急連絡を容易かつ確実に行うことができる。また、非常連絡メール送信テンキー１２ｄまたは非常連絡メール送信ボタン部１９をプッシュすることで保護者との非常連絡手段は確保されるので、かばん用無線式通信端末本体部１０にメール送受信用のディスプレイ画面が設ける必要がなくなり、利用者である子供が不特定の相手と電子メールの送受信を行うことを防ぐことができる。
【００７７】
また、かばん体１にはかばん用無線式通信端末９の受話部１７および送話部１８が一体に取り付けられてハンズフリー通話が可能であることから、利用者がかばん体１の肩紐７を肩に掛けた状態で自在に通話することが可能になり、利用者である子供の緊急時における保護者との通話が容易になって、子供の危機管理対策をより実効あるものとすることができる。
【００７８】
さらに、無線式通信端末本体部１０はかばん体１と着脱自在であるため、かばん体１の利用者である子供は、かばん用無線式通信端末９を使用するとき、前記無線式通信端末本体部１０をかばん体１から離脱させて把持し、確実に送受信操作を行うことが可能になる。そして、無線式通信端末本体部１０は肩紐７に装着されているため、かばん体１の利用者である子供は、かばん体１を背負ったままで無線式通信端末本体部１０を容易にかばん体１から離脱させることができる。
【００７９】
そして、かばん用無線式通信端末９はプリセットメモリ１３に記憶された電話番号によって呼出可能な特定端末との送受信のみを可能とした送受信端末制限機構を形成することにより、プリセットメモリ１３に保護者用情報端末２５ａのみをプリセットしてこのかばん用無線式通信端末９から保護者用情報端末２５ａ以外の端末を呼び出すことを制限し、このかばん用無線式通信端末９を利用する子供が不特定の相手と自由に通話することを過大なコストをかけることなく簡易に防止することができ、利用者である子供が通話時間をいたずらに長大化させ通話料の増大させることや、子供の健全な育成に有害な番組等に交信することを防止できる。
【００８０】
さらに、無線式通信端末本体部１０はプリセットメモリ１３に記憶された電話番号を呼出す複数の特定端末呼出用テンキー１２ａ，１２ｂ，１２ｃを有し、この特定端末呼出用テンキー１２ａ，１２ｂ，１２ｃのプッシュによって呼び出し可能な端末しか呼び出すことができないことにより、前記かばん用無線式通信端末９を利用する子供と子供の保護者との通話を確実に確保しつつ、子供が不特定の相手と自由に通話することを確実に防止することができる。
【００８１】
そして、このかばん体１の利用者である子供が事故や犯罪の被害に遭遇した場合、この子供は、前記無線式通信端末本体部１０の特定端末呼出用テンキー１２ａ，１２ｂ，１２ｃをプッシュして保護者用情報端末２５ａとしての保護者の電話に子供の保護者などを呼び出したり、非常連絡メール送信テンキー１２ｄまたは非常連絡メール送信ボタン部１９をプッシュして保護者用情報端末２５ｂの直前に配設されたメールボックス３２に非常連絡メールを送信し、子供が非常事態にあることを保護者に連絡する。また、かばん用無線式通信端末９から発信された無線信号は、このかばん用無線式通信端末９の近くに存在する基地局２６にて受信され、この基地局２６にて受信された信号は一般電話回線２９を介して前記保護者用情報端末２５ａ，２５ｂに送られる。そして、前記一般電話回線２９には基地局特定機構３３が設けられ、この基地局特定機構１９によって前記かばん用無線式通信端末９と信号送受信を行った基地局２６を特定することができるため、かばん用無線式通信端末９を装着したかばん体１およびこのかばん体１の利用者である子供の所在地を簡易に特定することができ、保護者用情報端末２５ａ，２５ｂにおいてかばん体１の利用者である子供の所在地を簡単に確認して子供の危機管理対策を図ることができる。
【００８２】
また、かばん用無線式通信端末９はＰＨＳ方式の無線端末であり、ＰＨＳ方式の電波は伝播範囲が狭小であって信号送受信を行う基地局２６を特定すれば前記保護者用情報端末２５ａ，２５ｂ側で前記かばん用無線式通信端末９の所在地点または所在範囲を認識することが可能であることにより、保護者用情報端末２５ａ，２５ｂにおいてかばん体１の利用者である子供の所在地を正確に確認することができる。
【００８３】
そして、かばん用無線式通信端末９として、民生用無線式通信として最も普及している方式のひとつであるＰＨＳ方式の端末を用いることにより、広範な分野において安価にセキュリティシステムを構築し利用することが可能になる。
【００８４】
なお、この実施の形態においてかばん体１は子供用肩掛けかばんたとえばランドセルとしたが、これに限定されるものではなく、各種子供用肩掛けかばんに適用できる。
【００８５】
なお、この実施の形態においてかばん用無線式通信端末９の無線式通信端末本体部１０は図３および図４に示す形状に形成したが、図７に示すように縦方向に細長い形状にし、特定端末呼出用テンキー１２ａ，１２ｂ，１２ｃと、非常連絡メール送信テンキー１２ｄと、電源用テンキー１２ｅとを縦一列に配置してもよい。そして、無線式通信端末本体部１０を図７に示す形状にすることによって、たとえばかばん体１の肩紐７のように幅方向大きさの狭い場所にこの無線式通信端末本体部１０を容易に装着することが可能になる。
【００８６】
なお、この実施の形態においては、かばん用無線式通信端末９の無線式通信端末本体部１０は肩紐７に着脱自在に装着したが、この無線式通信端末本体部１０は肩紐７に一体に装着してもよい。これにより、無線式通信端末本体部１０を紛失することがなくなり、利用者である子供の危機管理対策を確実に図ることができる。
【００８７】
また、この実施の形態においてはかばん用無線式通信端末９の蓋体１４は無線式通信端末本体部１０の下端部にスライド自在に装着したが、この蓋体１４を前記無線式通信端末本体部１０と着脱自在に形成してもよい。
【００８８】
そして、この実施の形態においては特定端末呼出用テンキー１２ａ，１２ｂ，１２ｃは三つ設けたが、一つであってもよい。
【００８９】
また、この実施の形態においてはかばん用無線式通信端末９は、たとえばＰＨＳ方式の通信端末としたが、これに限定されるものではなく、特定の保護者用情報端末２５ａと通話でき、また、この特定の保護者用情報端末２５ｂに電子メールを送信することができ、また、信号送受信を行う基地局２６を基地局特定機構１９によって特定することができる各種無線式通信方式の端末であればよい。
【００９０】
さらに、この実施の形態においては利用者用情報端末２５ａ，２５ｂ側の通信回線をターミナルアダプタ３１を介する方式の通信回線としたが、これに限定されるものではなく、たとえば、いわゆるＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者回線）や、通常の電話回線など、種々の方式の通信回線を用いても実現することができる。
【００９１】
次に、本発明における他の実施の形態について、図面を参照して説明する。
【００９２】
図８および図９において、かばん体４１は子供用肩掛けかばんたとえばランドセルであって、牛革のような皮革または合成皮革によって形成される。そして、このかばん体４１のかばん本体部４２は略直方体形状の函型に形成されており、上面には略矩形の上面開口部４３を有して内部に教科書やノートなどの文房具を収容可能に形成されている。また、このかばん本体部２の一端面は背板部４４に形成され、前記背板部４４に対向する他端面は前板部４５に形成される。
【００９３】
また、前記かばん体１は、前記背板部４４の上端部に蓋部４６を設ける。この蓋部４６は前記かばん本体部２２と同じ皮革または合成皮革などの素材によって板状に形成されて曲げ伸ばしが可能であり、前記上面開口部２３と前記前板部４５とを開閉自在に被覆する。
【００９４】
さらに、前記背板部４４の上端部には一対の肩紐４７，４７の上端部が金属環２８，２８を介して左右対称に取り付けられ、前記肩紐４７，４７の下端部は前記背板部４４の下端部に左右対称に取り付けられている。
【００９５】
そして、前記前板部４５には被装着部（図示せず）を設けるとともにかばん用無線式通信端末９には装着部（図示せず）を設け、前記被装着部（図示せず）には、かばん用無線式通信端末９が、このかばん用無線式通信端末９の裏面部に設けられた装着部（図示せず）によって装着される。前記前板部４５の被装着部（図示せず）と前記かばん用無線式通信端末９の装着部（図示せず）とは、たとえば面ファスナの雌体と雄体などによって着脱自在に形成する。なお、前記かばん用無線式通信端末９は、前板部４５の被装着部（図示せず）に装着された状態で、この前板部４５とともに、前記蓋部４６によって開閉自在に被覆される。
【００９６】
また、前記かばん体４１の一対の肩紐４７，４７のうちの一方の肩紐４７には、前記かばん用無線式通信端末９の受話部１７と、送話部１８と、非常連絡メール送信ボタン部１９とがそれぞれ一体に取り付けられている。この受話部１７は厚さ方向大きさが小さくハンズフリー通話が可能な程度に受話感度の高い小型マイクロフォンによって形成し、また、前記送話部１８は厚さ方向大きさが小さくハンズフリー通話が可能な程度の出力を有する小型スピーカによって形成する。また、前記非常連絡メール送信ボタン部１９はメール送信用のプッシュ式のボタンである。そして、前記受話部１７と前記送話部１８、および前記送話部１８と前記非常連絡メール送信ボタン部１９には導線２０がそれぞれ接続し、この導線２０は前記一方の肩紐７から前記前板部４５に伸張して端部が前記被装着部（図示せず）にて信号導通コネクタ（図示せず）を形成する。この信号導通コネクタ（図示せず）前記かばん用無線式通信端末９の装着部（図示せず）に設けられた信号導通用のコネクタ（図示せず）に接触する。
【００９７】
そして、他の構成は図１ないし図６に示す実施の形態の構成と同じである。
【００９８】
次に、この実施の形態の作用について説明する。
【００９９】
この実施の形態においては、被装着部（図示せず）は、面積が広く利用時における曲げ伸ばしなどの形状の変化が少ないかばん本体部４２の前板部４５に設け、この被装着部（図示せず）に無線式通信端末本体部１０の装着部（図示せず）を装着することにより、無線式通信端末本体部１０をかばん体４１に確実に装着できる。
【０１００】
そして、無線式通信端末本体部１０はかばん本体部４２に着脱自在に装着されているため、かばん用無線式通信端末９を使用するときに無線式通信端末本体部１０をかばん本体部４２から取り外して確実に送受信操作を行うことも可能になる。
【０１０１】
さらに、かばん体４１の前板部４５は蓋部４６によって被覆可能であり、利用者である子供がかばん体４１を背負って外出する際には、無線式通信端末本体部１０は蓋部４６によって被覆され外部に表出しなくなるため、誘拐などの犯罪に遭遇した場合であっても無線式通信端末本体部１０を犯人に容易に発見されることがないため、利用者である子供の緊急時における保護者との通信手段を確保できる。
【０１０２】
また、その他の作用は図１ないし図６に示す実施の形態の作用と同じである。
【０１０３】
次に、本発明における他の実施の形態について、図面を参照して説明する。
【０１０４】
図１０において、かばん体５１は子供用手提げかばんであって、このかばん体５１のかばん本体部５２は合成皮革または布地などの素材によって、上面に上面開口部５３を有する袋状に形成される。そして、前記かばん本体部５２の側面には、前記かばん本体部５２と同様の合成皮革または布地などの素材によって形成された一対の手提げ紐部５４，５４が取り付けられている。また、このかばん本体部５２の一側面には被装着部（図示せず）が設けられ、この被装着部（図示せず）には、かばん用無線式通信端末９の無線式通信端末本体部１０が、この無線式通信端末本体部１０の裏面部に設けられた装着部（図示せず）によって装着される。前記かばん本体部５２の被装着部（図示せず）と前記無線式通信端末本体部１０の装着部（図示せず）とは、たとえば面ファスナの雌体と雄体などによって着脱自在に形成する。
【０１０５】
さらに、前記被装着部（図示せず）が設けられた一方の側面に取り付けられた手提げ紐部５４には、前記かばん用無線式通信端末９の受話部１７と、送話部１８と、非常連絡メール送信ボタン部１９とがそれぞれ一体に取り付けられている。この受話部１７は厚さ方向大きさが小さくハンズフリー通話が可能な程度に受話感度の高い小型マイクロフォンによって形成し、また、前記送話部１８は厚さ方向大きさが小さくハンズフリー通話が可能な程度の出力を有する小型スピーカによって形成する。また、前記非常連絡メール送信ボタン部１９はメール送信用のプッシュ式のボタンである。そして、前記受話部１７と前記送話部１８、および前記送話部１８と前記非常連絡メール送信ボタン部１９には導線５５がそれぞれ接続し、この導線５５は前記一方の側面に取り付けられた手提げ紐３４から前記かばん体３２に装着されたかばん用無線式通信端末９のかばん用無線式通信端末本体部３８に接続される。
【０１０６】
そして、その他の構成は図１ないし図６に示す実施の形態の構成と同じである。
【０１０７】
次に、この実施の形態の作用について説明する。
【０１０８】
この実施の形態において、利用者である子供は、かばん体５１の一対の手提げ紐５４，５４を把持してこのかばん体５１を携帯する。そして、このかばん体５１に無線通信用のかばん用無線式通信端末９を装着することにより、手提げ式の子供用かばんを携帯する子供と保護者など子供の管理者との簡易な通信手段を提供し、かばん体５１を携帯する子供の外出時における危機管理対策を容易にはかることができる
また、かばん体５１のかばん本体部５２に無線式通信端末本体部１０を装着することにより、利用者である子供は、かばん体の手提げ紐部５４，５４を把持した状態で無線式通信端末本体部１０を操作できる。
【０１０９】
また、無線式通信端末本体部１０はかばん本体部５２に着脱自在に装着されているため、利用者である子供は、かばん体５１の手提げ紐部５４を把持したままで無線式通信端末本体部１０を容易にかばん体５１から離脱させることができ、また、かばん体５１から離脱させた無線式通信端末本体部１０を把持して確実に送受信操作を行うことが可能になる。
【０１１０】
そして、かばん用無線式通信端末９はかばん体５１の手提げ紐部２４に取り付けられた受話部１７と送話部１８とを有しハンズフリー通話が可能であるため、利用者である子供は、かばん体５１の手提げ紐部５４を把持した状態で自在に通話することが可能であり、緊急時の通話が容易になる。
【０１１１】
また、無線式通信端末本体部１０の非常連絡メール送信テンキー１２ｄまたはかばん体に取り付けられた非常連絡メール送信ボタン部１９をプッシュして保護者用情報端末２５ａ，２５ｂのメールアドレスに電子メールを送信することにより、利用者である子供が事故や犯罪の被害に遭遇したときに保護者への緊急連絡を容易かつ確実に行うことができる。
【０１１２】
そして、その他の作用は、図１ないし図６に示す実施の形態の作用と同じである。
【０１１３】
次に、本発明における他の実施の形態について、図面を参照して説明する。
【０１１４】
図１１に示すのは本発明の無線式通信端末付き子供用かばんおよびかばん用無線式通信端末が用いられる通信回線およびそれらを用いたセキュリティシステムのブロック図であり、この実施の形態においては、前記かばん体１または前記かばん体５１に一体に設けられまたは着脱自在に装着されたかばん用無線式通信端末５７はたとえば無線ＬＡＮカードのような無線ＬＡＮ用端末であり、基地局５８は無線ＬＡＮ用基地局であり、前記かばん用無線式通信端末５７と前記基地局５８との間では無線ＬＡＮ信号による信号の送受信が行われる。そして、前記基地局５８はルータ５９に接続され、このルータ５９が一般電話回線２９に接続する。
【０１１５】
そして、その他の構成は図１ないし図６に示す実施の形態の構成と同じである。
【０１１６】
次に、この実施の形態の作用について説明する。
【０１１７】
この実施の形態において、利用者である子供は、かばん体１またはかばん体５１を携帯する。そして、かばん体１またはかばん体５１に装着されまたは一体に形成されたかばん用無線式通信端末５７は無線ＬＡＮ用端末であり、このかばん用無線式通信端末５７と基地局５８との間で送受信される信号がＬＡＮ信号をでありことにより、ＬＡＮカード等を用いたセキュリティシステムを構築することが可能になる。なお、その他の作用は図１ないし図６に示す実施の形態の作用と同じである。
【０１１８】
【発明の効果】
本発明の請求項１記載の発明によれば、肩紐を有する子供用肩掛けかばんのかばん体に無線通信用のかばん用無線式通信端末を一体に設けまたは着脱自在に装着することにより、肩掛け式の子供用かばんを携帯する子供と保護者など子供の管理者との簡易な通信手段を提供し、外出時における子供の危機管理を容易にはかることができる。
【０１１９】
本発明の請求項２記載の発明によれば、手提げ紐部を有する手提げ式の子供用かばんのかばん体に無線通信用のかばん用無線式通信端末を一体に設けまたは着脱自在に装着することにより、手提げ式の子供用かばんを携帯する子供と保護者など子供の管理者との簡易な通信手段を提供し、外出時における子供の危機管理を容易にはかることができる。
【０１２０】
本発明の請求項３記載の発明によれば、肩紐にかばん用無線式通信端末を装着することにより、無線式通信端末付き子供用かばんを背負った状態でかばん用無線式通信端末を操作することが可能になる。
【０１２１】
また、かばん用無線式通信端末は無線式通信端末付き子供用かばんに着脱自在に装着されているため、かばん用無線式通信端末を使用するとき、このかばん用無線式通信端末を無線式通信端末付き子供用かばんのかばん体から離脱させて把持し、確実に送受信操作を行うことが可能になる。そして、かばん用無線式通信端末はかばん体の肩紐に着脱自在に装着されているため、かばん体を背負ったままでかばん用無線式通信端末を容易にかばん体から離脱させることができる。
【０１２２】
本発明の請求項４記載の発明によれば、面積が広く利用時における曲げ伸ばしなどの形状の変化が少ないかばん本体部の前板部にかばん用無線式通信端末を装着することにより、このかばん用無線式通信端末をかばん体に確実に装着できる。
【０１２３】
また、かばん用無線式通信端末は無線式通信端末付き子供用かばんに着脱自在に装着されているため、使用時にかばんから取り出して確実に送受信操作を行うことも可能になる。
【０１２４】
本発明の請求項５記載の発明によれば、かばん体の前板部は蓋部によって被覆可能であり、利用者である子供がかばん体を背負って外出する際にはかばん用無線式通信端末は蓋部によって被覆され外部に表出しなくなるため、誘拐などの犯罪に遭遇した場合であってもかばん用無線式通信端末を犯人に容易に発見されることがなく、利用者である子供の緊急時における保護者との通信手段を確保できる。
【０１２５】
本発明の請求項６記載の発明によれば、手提げ式の子供用かばんであるかばん体のかばん本体部にかばん用無線式通信端末を装着することにより、かばん体の手提げ紐部を把持した状態でかばん用無線式通信端末を操作できる。
【０１２６】
さらに、かばん用無線式通信端末はかばん体と着脱自在であるため、利用者は使用時にかばん体の手提げ紐部を把持したままでかばん用無線式通信端末をかばんから離脱させることができ、また、かばん体から離脱させたかばん用無線式通信端末を把持して確実に送受信操作を行うことが可能になる。
【０１２７】
本発明の請求項７記載の発明によれば、かばん用無線式通信端末はかばん体に装着するものであるため、子供用かばんを携帯する子供と子供の両親などの管理者との簡易な通信手段を提供して子供の危機管理を容易にはかることができる。また、かばん用無線式通信端末はプリセットメモリに記憶された電話番号によって呼出可能な特定端末との送受信のみを可能とする送受信端末制限機構を有することにより、このかばん用無線式通信端末を利用する子供が不特定の相手と自由に通話することを過大なコストをかけることなく簡易に防止することができ、通話時間のいたずらな長大化による通話料の増大や、子供の健全な育成に有害な番組等への交信を防止することができる。
【０１２８】
本発明の請求項８記載の発明によれば、無線式通信端末本体部はプリセットメモリに記憶された電話番号を呼出す一または複数の特定端末呼出用テンキーを有することにより、このかばん用無線式通信端末を利用する子供と子供の保護者との通話を確実に確保しつつ、子供が不特定の相手と自由に通話することを確実に防止することができる。
【０１２９】
本発明の請求項９記載の発明によれば、無線式通信端末本体部の正面部を開閉自在に装着し、または着脱自在に設けた蓋体で被覆することにより、かばん用無線式通信端末の送受信時以外の誤操作を防止することができる。
【０１３０】
本発明の請求項１０記載の発明によれば、かばん用無線式通信端末はハンズフリー通話が可能であることから、利用者がかばん体の肩紐を肩に掛けたり手提げ紐部を把持した状態で自在に通話することが可能になり、利用者である子供の緊急時における保護者との通話が容易になって、子供の危機管理対策をより実効あるものとすることができる。
【０１３１】
本発明の請求項１１記載の発明によれば、無線式通信端末本体部の非常連絡メール送信テンキーまたはかばん体に取り付けられた非常連絡メール送信ボタン部をプッシュして保護者用情報端末のメールアドレスに電子メールを送信することにより、利用者である子供が事故や犯罪の被害に遭遇したときに保護者への緊急連絡を容易かつ確実に行うことができる。また、この非常連絡メール送信ボタン部をプッシュすることで保護者との非常連絡手段は確保されるので、かばん用無線式通信端末本体部にメール送受信用のディスプレイ画面が設ける必要がなくなり、利用者である子供が不特定の相手と電子メールの送受信を行うことを防ぐことができる。
【０１３２】
本発明の請求項１２記載の発明によれば、無線式通信端末本体部をかばんに装着したままで非常連絡メール送信テンキーをプッシュすることが可能となり、子供が事故や犯罪の被害に遭遇したときに保護者への緊急連絡を迅速かつ確実に行うことができる。
【０１３３】
本発明の請求項１３記載の発明によれば、信号送受信を行う基地局を前記基地局特定機構によって特定し前記保護者用情報端末側で前記かばん用無線式通信端末の所在地点または所在範囲を認識することが可能な通信方式に用いる無線式通信端末がかばん用無線式通信端末として無線式通信端末付き子供用かばんに装着されていることにより、無線式通信端末付き子供用かばんの所在地を簡易に特定することができる。
【０１３４】
本発明の請求項１４記載の発明によれば、民生用無線式通信として最も普及している方式のひとつであるＰＨＳ用端末を用いたセキュリティシステムであることにより、広範な分野において安価にセキュリティシステムを構築することが可能になる。
【０１３５】
本発明の請求項１５記載の発明によれば、かばん用無線式通信端末と前記基地局との間で送受信される信号に無線ＬＡＮ信号を用いることにより、無線ＬＡＮカードなどを用いてセキュリティシステムを構築することができる。
【０１３６】
本発明の請求項１６記載の発明によれば、信号送受信を行う基地局を前記基地局特定機構によって特定し前記保護者用情報端末側で前記かばん用無線式通信端末の所在地点または所在範囲を認識することが可能な通信方式に用いる無線式通信端末がかばん用無線式通信端末として用いられていることにより、かばん用無線式通信端末の所在地を簡易に特定することができる。
【０１３７】
本発明の請求項１７記載の発明によれば、民生用無線式通信として最も普及している方式のひとつであるＰＨＳ用端末を用いたセキュリティシステムであることにより、広範な分野において安価にセキュリティシステムを構築することが可能になる。
【０１３８】
本発明の請求項１８記載の発明によれば、かばん用無線式通信端末と基地局との間で送受信される信号に無線ＬＡＮ信号を用いることにより、ＬＡＮカード等を用いたセキュリティシステムを構築することができる。
【図面の簡単な説明】
【図１】本発明の無線式通信端末付き子供用かばんおよびかばん用無線式通信端末の斜視図である。
【図２】本発明の無線式通信端末付き子供用かばんの肩紐に装着したかばん用無線式通信端末の拡大図である。
【図３】本発明のかばん用無線式通信端末の無線式通信端末本体部を蓋体で被覆した状態の正面図である。
【図４】本発明のかばん用無線式通信端末の無線式通信端末本体部の蓋体を引き下げた状態の正面図である。
【図５】本発明のかばん用無線式通信端末の回路ブロック図である。
【図６】本発明の無線式通信端末付き子供用かばんおよびかばん用無線式通信端末が用いられる通信システムおよびそれらを用いたセキュリティシステムのブロック図である。
【図７】本発明のかばん用無線式通信端末の無線式通信端末本体部の蓋体を引き下げた状態の正面図である。
【図８】本発明の無線式通信端末付き子供用かばんおよびかばん用無線式通信端末の斜視図である。
【図９】本発明の無線式通信端末付き子供用かばんおよびかばん用無線式通信端末の正面図である。
【図１０】本発明の無線式通信端末付き子供用かばんおよびかばん用無線式通信端末の斜視図である。
【図１１】本発明の無線式通信端末付き子供用かばんおよびかばん用無線式通信端末が用いられる通信回線およびそれらを用いたセキュリティシステムのブロック図である。
【符号の説明】
１      かばん体
２      かばん本体部
３      上面開口部
４      背板部
５      前板部
６      蓋部
７      肩紐
９      かばん用無線式通信端末
１０      無線式通信端末本体部
１２ａ，１２ｂ，１２ｃ  特定端末呼出用テンキー
１２ｄ    非常連絡メール送信テンキー
１３      プリセットメモリ
１４      蓋体
１７      受話部
１８      送話部
１９      非常連絡メール送信ボタン部
２０      導線
２５ａ，２５ｂ  保護者用情報端末
２６      基地局
４１      かばん体
４２      かばん本体部
４３      上面開口部
４４      背板部
４５      前板部
４６      蓋部
４７      肩紐
５１      かばん体
５２      かばん本体部
５３      上面開口部
５４      手提げ紐部
５５      導線
５６      かばん体
５７      かばん用無線式通信端末
５８      基地局
【図１】
2004350775.tif 000003
【図２】
2004350775.tif 000004
【図３】
2004350775.tif 000005
【図４】
2004350775.tif 000006
【図５】
2004350775.tif 000007
【図６】
2004350775.tif 000008
【図７】
2004350775.tif 000009
【図８】
2004350775.tif 000010
【図９】
2004350775.tif 000011
【図１０】
2004350775.tif 000012
【図１１】
2004350775.tif 000013